【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
画像内の対象者の２以上の顔の特徴を不明瞭にするためのコンピュータ実装の方法であって、前記方法は、
前記画像内の前記対象者の頭部を検出するステップと、
前記画像内の前記対象者の前記２以上の顔の特徴の位置を特定するステップと、
前記２以上の顔の特徴の前記位置に基づき、且つ、少なくとも２つの顔の特徴の位置間の距離に所定の比率の値を乗じた結果に基づき、前記２以上の顔の特徴が位置する頭部の部分を含む修正すべき画像の領域を決定するステップと、
前記２以上の顔の特徴を不明瞭にするように、決定された前記領域内の画像を修正するステップとを含む、方法。
【請求項２】
前記特定するステップは、
前記画像内の前記対象者の頭部の皮膚表面を検出するステップと、
前記画像内の前記対象者の頭部の検出された前記皮膚表面上の前記２以上の顔の特徴の位置を特定するステップとを含む、請求項１に記載の方法。
【請求項３】
前記画像内の前記対象者の頭部の前記皮膚表面を検出するステップは、
前記画像内の前記対象者の頭部の凸包を決定するステップと、
前記凸包の表面上の１つ又は複数の点について、前記画像内の前記対象者の頭部の中心に向かって内向きに経路をトレースするステップと、
前記画像の背景レベルより大きい値を有する画像のコンポーネントが検出される前記対象者の頭部の前記皮膚表面を検出するステップとを含む、請求項２に記載の方法。
【請求項４】
前記所定の比率は、前記少なくとも２つの顔の特徴の位置と少なくとも１つの他の特徴の位置との間の距離に対する前記少なくとも２つの顔の特徴の位置間の距離の関係を定める、請求項１に記載の方法。
【請求項５】
前記画像内の前記対象者の頭部の傾きに基づき、前記画像の前記修正すべき領域を調整するステップを更に含む、請求項１に記載の方法。
【請求項６】
前記２以上の顔の特徴を不明瞭にするために、前記画像の前記決定された領域内の頭部の部分から複数の突起を外向きに延ばすことにより、前記画像が修正される、請求項１に記載の方法。
【請求項７】
外向きに延びる複数の突起のうちの１つ又は複数を異なるグレースケール値に設定することによって、前記画像が更に修正される、請求項６に記載の方法。
【請求項８】
画像内の対象の１つ又は複数の顔の特徴を不明瞭にするためのコンピュータ実装の方法であって、前記方法は、
前記画像内の前記対象者の頭部を検出するステップと、
前記画像内の前記対象者の前記１つ又は複数の顔の特徴の位置を特定するステップと、
前記１つ又は複数の顔の特徴の前記位置に基づき、前記１つ又は複数の顔の特徴が位置する頭部の部分を含む修正すべき画像の領域を決定するステップと、
前記１つ又は複数の顔の特徴を不明瞭にするように、決定された前記領域内の画像を修正するステップと、
前記対象者の個人情報に関連するテキストのための前記画像の１つ又は複数の候補領域を特定するステップと、
前記画像の特定された前記１つ又は複数の候補領域内の前記画像の少なくとも１つの特徴を決定するステップと、
前記画像の特定された前記１つ又は複数の候補領域内の前記画像の決定された前記少なくとも１つの特徴に基づき、前記１つ又は複数の候補領域から、前記対象者の前記個人情報に関連するテキストを含む領域を選択するステップと、
前記対象者の前記個人情報に関連するテキストを不明瞭にするように、選択された当該領域内の前記画像を修正するステップとを含む、方法。
【請求項９】
前記少なくとも１つの特徴は、
前記画像の前記１つ又は複数の特定された候補領域内のコンポーネント集合の凸包、
画像全体のコンポーネントの数に対する、テキストを含む前記１つ又は複数の特定された候補領域内のコンポーネントの数との比率、
前記１つ又は複数の特定された候補領域内の前記画像の幾何学的離心率、
前記１つ又は複数の特定された候補領域内の前記画像内の前記コンポーネントのソリディティ、及び
前記１つ又は複数の特定された候補領域内の前記画像の強度
のうちのいずれか１つ又は複数を含む、請求項８に記載の方法。
【請求項１０】
前記１つ又は複数の候補領域を特定するステップは、
同じ値を持つ複数の連結したコンポーネントを含む前記画像内の１つ又は複数の領域を検出するステップと、
所定のサイズより大きいサイズを有する領域を背景領域として特定し、残りの領域を、前記対象者の前記個人情報に関連するテキストの候補領域として特定するステップとを含む、請求項８に記載の方法。
【請求項１１】
前記選択するステップは、
少なくとも１つの決定された特徴を、前記個人情報に関連するテキストを含む領域を示す１つ又は複数の保存された特徴と比較するステップと、
前記比較に基づき、前記候補領域から、前記対象者の前記個人情報に関連するテキストを含む領域を選択するステップとを含む、請求項８に記載の方法。
【請求項１２】
前記方法は、選択された前記領域内の前記対象者の前記個人情報に関連するテキストの位置を特定するように、前記選択された領域内でテキスト認識を実行するステップを含み、
前記画像を修正するステップは、前記対象者の前記個人情報に関連するテキストを不明瞭にするために、特定された位置における前記選択された領域内の前記画像を修正するステップを含む、請求項８に記載の方法。
【請求項１３】
非一時的コンピュータ可読媒体中に具現されたコンピュータ可読コードを有し、前記コンピュータ可読コードは、適切なコンピュータ又はプロセッサによる実行時に、前記コンピュータ又はプロセッサに請求項１に記載の方法を実行させる、非一時的コンピュータ可読媒体。
【請求項１４】
プロセッサを備える装置であって、前記プロセッサは、請求項１に記載の方法を実行する、装置。
【請求項１５】
画像内の対象者の頭部を検出することと、
前記画像内の前記対象者の２以上の顔の特徴の位置を特定することと、
前記２以上の顔の特徴の前記位置に基づき、、且つ、少なくとも２つの顔の特徴の位置間の距離に所定の比率の値を乗じた結果に基づき、前記２以上の顔の特徴が位置する頭部の部分を含む修正すべき画像の領域を決定することと、
前記２以上の顔の特徴を不明瞭にするように、決定された前記領域内の画像を修正することと
により、前記画像内の前記対象者の前記２以上の顔の特徴を不明瞭にするようにプログラムされた少なくとも１つのプロセッサを備える、コンピュータ実装の装置。
【請求項１６】
前記特定することは、
前記画像内の前記対象者の頭部の凸包を決定することと、
前記凸包の表面上の１つ又は複数の点について、前記画像内の前記対象者の頭部の中心に向かって内向きに経路をトレースすることと、
前記画像の背景レベルより大きい値を有する画像のコンポーネントが検出される前記対象者の頭部の皮膚表面を検出することと
により、前記画像内の前記対象者の頭部の前記皮膚表面を検出すること、及び
前記画像内の前記対象者の頭部の検出された前記皮膚表面上の前記２以上の顔の特徴の位置を特定することを含む、請求項１５に記載の装置。
【請求項１７】
前記プロセッサは、更に、
前記対象者の個人情報に関連するテキストのための前記画像の１つ又は複数の候補領域を特定することと、
前記画像の特定された前記１つ又は複数の候補領域内の前記画像の少なくとも１つの特徴を決定することと、
前記画像の特定された前記１つ又は複数の候補領域内の前記画像の決定された前記少なくとも１つの特徴に基づき、前記１つ又は複数の候補領域から、前記対象者の前記個人情報に関連するテキストを含む領域を選択することと、
前記対象者の前記個人情報に関連するテキストを不明瞭にするように、選択された当該領域内の前記画像を修正することと
により、前記画像内の前記対象の前記２以上の顔の特徴を不明瞭にするようにプログラムされる、請求項１５に記載の装置。
【請求項１８】
前記少なくとも１つの特徴は、
前記画像の前記１つ又は複数の特定された候補領域内のコンポーネント集合の凸包、
画像全体のコンポーネントの数に対する、テキストを含む前記１つ又は複数の特定された候補領域内のコンポーネントの数との比率、
前記１つ又は複数の特定された候補領域内の前記画像の幾何学的離心率、
前記１つ又は複数の特定された候補領域内の前記画像内の前記コンポーネントのソリディティ、及び
前記１つ又は複数の特定された候補領域内の前記画像の強度
のうちのいずれか１つ又は複数を含む、請求項１７に記載の装置。
【請求項１９】
前記１つ又は複数の候補領域を特定することは、
同じ値を持つ複数の連結したコンポーネントを含む前記画像内の１つ又は複数の領域を検出することと、
所定のサイズより大きいサイズを有する領域を背景領域として特定し、残りの領域を、前記対象者の前記個人情報に関連するテキストの候補領域として特定することとを含む、請求項１７に記載の装置。
【請求項２０】
前記選択することは、
少なくとも１つの決定された特徴を、前記個人情報に関連するテキストを含む領域を示す１つ又は複数の保存された特徴と比較することと、
前記比較に基づき、前記候補領域から、前記対象者の前記個人情報に関連するテキストを含む領域を選択することとを含む、請求項１７に記載の装置。